【手続補正書】
【提出日】平成19年5月24日(2007.5.24)
【手続補正１】
【補正対象書類名】明細書
【補正対象項目名】特許請求の範囲
【補正方法】変更
【補正の内容】
【特許請求の範囲】
【請求項１】 
街路を照明する少なくとも１つの電球（２１）と、            
受信するメッセージを繰り返すように構成され前記電球を制御するために制御回路（１８）とインターフェース接続されているトランシーバ（１７）と、  
を備えた街路灯。
【請求項２】 
前記トランシーバは、前記街路灯から電力が供給されるものである請求項１の街路灯。
【請求項３】 
前記制御回路は、前部電球をスイッチオンに制御するものである請求項１又は２の街路灯。
【請求項４】
前記制御回路は、前記電球をスイッチオフに制御するものである請求項１、２又は３の街路灯。
【請求項５】
前記制御回路は、前記トランシーバが受信したメッセージに含まれる指令により前記電球をスイッチオン又はスイッチオフする請求項３又は４の街路灯。
【請求項６】 
前記制御回路は、前記電球により消費された電流の測定、外部温度或いは制御回路の温度の測定、輝度の測定、前記電球に供給される電流と電圧との間の位相角シフトの測定のうちの少なくとも１つの測定を実行するものであり、前記トランシーバは該測定の結果を送信する請求項１から５のいずれかの街路灯。
【請求項７】 
前記制御回路は、前記電球によって消費された電流を測定し、測定された電流の関数として該電球に対する電気の供給を遮断するものである請求項１乃至６のいずれかの街路灯。
【請求項８】 
更に、前記電球に対してチョピングされた電源供給を行うチョッパ型電源供給装置（１９）を含み、該チョッパ型電源供給装置は前記電球に、該電球の点灯を開始するための第１電圧と、サービス電圧を供給するための該第１電圧よりも低い第２電圧とを選択的に供給するものである請求項１乃至７のいずれかの街路灯。
【請求項９】  
前記電球は、放電球、好ましくは水銀ランプまたはナトリウムランプである請求項８の街路灯。
【請求項１０】  
電球を受け入れるための雌型ソケット（１５）と、
受信したメッセージを繰り返すように構成されたトランシーバ（１７）と、
前記雌型ソケットと電気的に連結される電気接続手段と、
前記電気的接続手段と前記雌ソケットとの間の電気的連結の開閉を制御する制御回路（１８）と、
を備え、前記トランシーバは前記制御回路とインターフェース接続されている、電球の点灯の遠隔制御に適合された接続装置。
【請求項１１】  
前記電気接続手段は、雄型ソケット（１３）から成るものである請求項１０の接続装置。
【請求項１２】 
前記制御回路は、前記雌型ソケットに供給される電流の測定、外部温度或いは制御回路の温度の測定、輝度の測定、前記雌型ソケットに供給される電流と電圧との間の位相角シフトの測定のうちの少なくとも１つの測定を実行するものであり、前記トランシーバは該測定の結果を送信する請求項１０または１１の接続装置。
【請求項１３】 
前記制御回路は、前記雌型ソケットに供給された電流を測定し、測定された関数として前記電気的接続手段と雌型ソケットとの間の電気的接続を解放するものである請求項１０乃至１２のいずれかの接続装置。
【請求項１４】  
請求項１乃至９のいずれかの電球（１ａ）を少なくとも１つを含み、前記トランシーバ（１７）は無線ネットワークの中継器（１）を構成するものである都市照明またはこれと同様の照明のための遠隔管理における無線ネットワーク。
【請求項１５】  
電気制御盤( ２ａ) において前記街路灯に対する電気供給を制御する無線ネットワークの第２の中継器（２）を含むものである請求項１４の無線ネットワーク。
【請求項１６】  
前記無線ネットワークの第２の中継器は、
前記電気制御盤に対する供給電圧の存在の確認、前記電気制御盤により供給された電流の測定、漏れ電流の測定、誘導電流の測定、絶縁損失の検出、腐食電位の測定のうちの少なくとも１つを実行し、且つ、前記第２の中継器は、１若しくは２以上の測定値を記憶する記憶装置を含むものである請求項１５の無線ネットワーク。
【請求項１７】
前記無線ネットワークの更なる中継点（１）を構成する更なる無線トランシーバ（１７）を含み、該更なる無線トランシーバは前記無線ネットワークの付属設備（４ａ）に連結され、該付属設備は該無線ネットワークを介して通信する請求項１４から１６のいずれかの無線ネットワーク。
【請求項１８】
前記付属設備（４ａ）は
街路灯、ビルの警報設備、道路と横切るように配置されたディスプレイ、道路交通監視カメラ、およびその装着者により送信機が組み込まれた移動可能なバッジ、送信機が組み込まれその装着者により前記無線ネットワークを介して警戒信号が送られるバッジ、
のいずれかから選択される請求項１７の無線ネットワーク。
【請求項１９】
更に、請求項１から９のいずれかの更なる街路灯（１ａ）を含み、前記更なる街路灯の前記無線トランシーバ（１７）は前記無線ネットワークの更なる中継点（１）を構成し、該更なる中継点により繰り返されるメッセージが前記第１中継点により受信され、該第１中継点の前記制御回路は前記受信したメッセージに含まれる指令により前記街路灯の電球を制御する請求項１４から１８のいずれかの無線ネットワーク。
【請求項２０】  
通信において無線ネットワークのいずれか２つの中継器を定める少なくとも１つのルータ(３ａ) を含むものである請求項１４乃至１９のいずれかの無線ネットワーク。
【請求項２１】  
前記無線ネットワークを介して、前記第１の中継器のための制御指令を送る工程と、
前記第１の中継器による制御指令を受け取って実行する工程と、
を含むことを特徴とする請求項１４乃至２０のいずれかの無線ネットワークにおける照明遠隔管理方法。
【請求項２２】  
前記制御指令は、前記街路灯の電球をスイッチオンまたはスイッチオフさせる指令を含むものである請求項２１の照明遠隔管理方法。
【請求項２３】  
前記制御指令は、少なくとも１つの物理量の測定値を読み込み、測定結果を前記無線ネットワークを介して返送し、その応答として第１の中継器により得るようにするものである請求項２１または２２の照明遠隔管理方法。
【請求項２４】
サービスに供される前に中継器に対する初期設定アドレスを指定する工程と、
前記中継器をサービスに供する工程と、
初期設定アドレスのためのメッセージを無線ネットワークを介して送る工程と、
初期設定アドレスを有する中継器により応答を送る工程と、
応答が受けられると、初期設定アドレスの置換のために対応する中継器へ向かって新アドレスを表すメッセージをその初期設定アドレスに向かって無線ネットワークを介して送る工程と、
を含む請求項１４乃至２０のいずれかの無線ネットワークにおける中継器のアドレスを初期化する方法。
【請求項２５】
請求項１４から２０のいずれかの前記無線ネットワークの、無線通信サービス、または固定または移動電話通信ネットワークのための使用。
【手続補正２】
【補正対象書類名】明細書
【補正対象項目名】００１４
【補正方法】変更
【補正の内容】
【００１４】
また、本発明の他の態様においては、前記制御回路は、前記電気接続手段と雌型ソケットとの間の電気的連結の開閉を制御するものである。さらに、その制御回路は、好適には、雌型ソケットに供給される電極を変化させることができる。そして、その制御回路は、好適には、以下の測定、すなわち雌型ソケットに供給される電流値の測定、外部温度または制御回路の温度の測定、外部の明るさの測定、雌型ソケットに供給される電流と電圧との間の位相シフトの測定の少なくとも１つを実行することができ、さらに、実行された１または２以上の測定値を記憶させるための記憶装置を含むことができる。
【手続補正３】
【補正対象書類名】明細書
【補正対象項目名】００４６
【補正方法】変更
【補正の内容】
【００４６】
さらに、スクリーンが備えられたコンピュータである管理ステーション３ｂは、ルータ３と連結されている。また、それはネットワーク内のいずれかの中継器とも連結され得る。この管理ステーション３ｂは、ネットワークを介して対応する中継器１または２へメッセージを送ることにより街路灯１ａおよび電気制御盤２ａを制御するためのプログラムを走らせる。それら中継器１または２のための制御モジュールは、管理ステーションから発せられたメッセージに含まれる命令を実行することができる。受け渡されたその命令は、特に上述された街路灯１ａまたはそれに関連する電気制御盤２ａの作動に関し、中継器１または２のための制御モジュールによって実行可能ないずれかの機能に関連している。同様に、管理ステーションは、街路灯または電気制御盤の作動に関連して測定および検出され、かつ対応する中継器のための制御モジュールにより実行され、記憶装置に記憶されたデータを、それに応答してそれを送ることを、ネットワークを介して、いずれかの中継器１または２に要求することができる。管理ステーションは、送り返されたデータを体系化し、それらのデータを維持し、それらのデータの関数として街路灯および電気制御盤を制御することができる。その管理ステーションは、好適には、連続した手順でデータの収集を実行する。
【手続補正４】
【補正対象書類名】明細書
【補正対象項目名】００６２
【補正方法】変更
【補正の内容】
【００６２】
同様に、チョッパ型電源回路１９は上記雌型ソケット１３から電気エネルギを受けている。そして、電球２１が雌型ソケット１５に装着されたときにその電球２１に電気エネルギが供給されるように、上記チョッパ型電源回路１９の出力端子は、パッド１６に電気的に連結されている。
【手続補正５】
【補正対象書類名】明細書
【補正対象項目名】００７８
【補正方法】変更
【補正の内容】
【００７８】
当業者であれば、チョッパ型電源回路１９は、電球アダプタソケット１０に収容された他の素子からは独立のモジュールとして構成され得ることは理解できるであろう。特に、チョッパ型電源回路１９は、トランシーバ１７とは独立に、放電ランプへ電力供給するために用いられる。また、電球アダプタソケット１０は、トランシーバ１７を備えないが、ブレーカＤ４乃至Ｄ７を制御するための制御モジュールを備えたチョッパ型電源回路を備えるように構成することもできる。そのような電球アダプタソケットは、遠隔的に街路灯を制御する必要がない場合には、特に有効である。